(57)【要約】【課題】  柱状スペーサ周辺での光漏れを防止し、高精細で高コントラストかつ高開口率の液晶表示装置を提供する。【解決手段】  画素電極と共通電極を有するＴＦＴ基板と、カラーフィルタを有するカラーフィルタ基板とを、柱状スペーサを介在させて対向し、両基板間に液晶層を設けた横電界方式の液晶表示装置において、前記基板上に形成される液晶配向膜が光配向膜からなり、前記カラーフィルタ基板またはＴＦＴ基板の一方に形成される柱状スペーサが、液晶の初期配向方向に平行または垂直な傾斜面を有する壁状である。【選択図】図１
2014206637.tif 000002
【特許請求の範囲】
【請求項１】
画素電極と共通電極を有するＴＦＴ基板と、カラーフィルタを有するカラーフィルタ基板とを、柱状スペーサを介在させて対向し、両基板間に液晶層を設けた横電界方式の液晶表示装置において、
前記基板上に形成される液晶配向膜が光配向膜からなり、
前記カラーフィルタ基板またはＴＦＴ基板の一方に形成される柱状スペーサが、液晶の初期配向方向に平行または垂直な傾斜面を有する壁状であることを特徴とする液晶表示装置。
【請求項２】
請求項１に記載の液晶表示装置において、
前記柱状スペーサが、頂上部の形状が略四角形からなる四角柱状のスペーサからなり、その４つの端辺がそれぞれ液晶の初期配向方向にほぼ平行または垂直であることを特徴とする液晶表示装置。
【請求項３】
請求項１または請求項２に記載の液晶表示装置において、
前記液晶の初期配向方向が、前記画素電極の伸びる方向に対して所定のバイアス角度をもって配置されていることを特徴とする液晶表示装置。
【請求項４】
請求項１〜請求項３の何れか１つに記載の液晶表示装置において、
前記柱状スペーサの側面の傾斜角度が、４５度以上９０度未満であることを特徴とする液晶表示装置。
【請求項５】
請求項４に記載の液晶表示装置において、
前記柱状スペーサの側面の傾斜角度が、６０〜８０度であることを特徴とする液晶表示装置。
【請求項６】
請求項１〜請求項５の何れか１つに記載の液晶表示装置において、
前記柱状スペーサが、ブラックマトリクスの遮光領域に形成されていることを特徴とする液晶表示装置。
【請求項７】
請求項１〜請求項５の何れか１つに記載の液晶表示装置において、
前記柱状スペーサが、前記カラーフィルタ基板のブラックマトリクス上に形成されていることを特徴とする液晶表示装置。
【請求項８】
請求項１〜請求項５の何れか１つに記載の液晶表示装置において、
前記柱状スペーサが、ほぼ直交するブラックマトリクスの重なり領域に形成されていることを特徴とする液晶表示装置。
【請求項９】
請求項１〜請求項５の何れか１つに記載の液晶表示装置において、
画素内分割により視野角補償を行う液晶表示装置であり、
前記柱状スペーサの４隅の曲面部分が、ほぼ直交するブラックマトリクスの重なり領域に形成されていることを特徴とする液晶表示装置。
【請求項１０】
請求項１〜請求項５の何れか１つに記載の液晶表示装置において、
隣接する２つの画素で視野角補償を行う液晶表示装置であり、
前記柱状スペーサの４隅の曲面部分が、ほぼ直交するブラックマトリクスの重なり領域に形成されていることを特徴とする液晶表示装置。
【請求項１１】
請求項１〜請求項５の何れか１つに記載の液晶表示装置において、
前記柱状スペーサの４隅の曲面部分が、ほぼ直交するブラックマトリクスの１つの重なり領域とそれに隣接する重なり領域に形成されていることを特徴とする液晶表示装置。
【発明の詳細な説明】
【技術分野】
【０００１】
本発明は、光配向膜を用いた液晶表示装置に関し、高精細で高コントラストかつ高開口率の液晶表示装置に関する。
【背景技術】
【０００２】
液晶表示装置においては、広視野角を実現するなどのために、ＩＰＳ( In-Plane Switching )方式やＦＳＳ( Fringe Field Switching )方式などの横電界方式の液晶表示装置が開発されている。横電界方式では、液晶分子を水平に寝かせた状態、いわゆるホモジニアス配向状態において、基板と平行な方向の電界を印加して液晶分子を水平面内で回転させることで、バックライトの光量を制御して画像を表示する。
【０００３】
また、液晶表示素子において、液晶配向膜に配向機能を付与するための処理方法として、光配向法が提案されている。光配向法は、アゾ色素などの光異性化化合物などを含んだ高分子膜に直線偏光された紫外線光（偏光ＵＶ光）等を照射することにより、偏光方向の光異性化化合物や高分子鎖を選択的に反応させて、高分子膜の分子の並びに異方性を発生させて液晶配向能を付与するものである。
【０００４】
光配向膜を用いた横電界方式の液晶表示装置として、特許文献１には、対向基板に円錐台形の柱状スペーサを設け、光配向膜を形成したＩＰＳ方式またはＦＳＳ方式の液晶表示装置が開示されている。
【０００５】
また、光配向膜を用いるものではないが、特許文献２には、横電界駆動方式の液晶表示素子において、マトリックス状に配置された複数の電極配線の各交差点に設けられる柱状の絶縁膜（柱状スペーサ）の断面形状がラビング方向に平行な側面を有して形成されること、が開示されている（要約参照）。
【先行技術文献】
【特許文献】
【０００６】
【特許文献１】特開２０１２−１１３２１２号公報
【特許文献２】特開平１１−１７４４６２号公報
【発明の概要】
【発明が解決しようとする課題】
【０００７】
液晶表示装置において、ＴＦＴ（ＴＦＴ： Thin Film Transistor ）基板とカラーフィルタ基板の間隔を所定の間隔に保つ柱状スペーサ（ＳＯＣ： Spacer On Color filter ）として、円柱状あるいは四角柱状のスペーサが一方の基板上に設けられている。この横電界方式の液晶表示装置に光配向法を適用する場合、柱状スペーサＳＯＣの側面の傾斜が緩やかであれば、柱状スペーサの周辺の液晶配向は良好である。しかし、高精細かつ高開口率化を図るために柱状スペーサを設置する遮光ブラックマトリクスの幅を狭めると、柱状スペーサの径が細くなるとともに、柱状スペーサの傾斜角度が急峻になる。そのため、柱状スペーサの周りの液晶配向が乱れ、高コントラスト化と高開口率化の両立が困難となることが分かった。
【０００８】
図２を用いてこの様子を説明する。図２は円柱状のＳＯＣを用いたものである。ＩＰＳ方式の液晶表示装置では、原理上、電極の伸びる方向に対して液晶分子１０をある一定以上の角度（バイアス角度）をもって、ずらして初期配向させる必要がある。そのため、通常、照射する光の偏光軸も電極に対して一定の角度傾けている。そして、図２に示すように、照射する光の偏光軸が柱状スペーサ３０の傾斜面に対して垂直または平行からずれるため、柱状スペーサの周辺の平坦な配向膜表面の領域に直接照射された光の偏光軸と反射により再照射された光の偏光軸が異なってしまう。（完全なｐ偏光、ｓ偏光と異なるため、反射光の偏光軸がずれてしまう。）このため、配向膜表面の領域に２軸の液晶配向能が付与されてしまい、液晶分子の配向不良が生じる。ＩＰＳ方式では、他の方式と比較しても配向の乱れが目立ちやすく、配向不良が光漏れという問題を引き起こしてしまう。図２に示すように、円柱状スペーサでも四角柱状スペーサでも、照射する光の偏光軸が柱状スペーサの傾斜面に対して垂直または平行からずれる場所に光漏れ領域７０ができる。
【０００９】
柱状スペーサ３０周辺での光漏れによるコントラストの低下を防ぐため、光漏れ領域７０をブラックマトリクスで遮光することが考えられる。しかし、ブラックマトリクス遮光することにより高コントラストを保持できても、その分、開口率が低下し、高開口率と高コントラストとの両立は困難である。
【００１０】
本発明は、柱状スペーサ周辺での光漏れを防止し、高精細で高コントラストかつ高開口率の液晶表示装置を提供することを目的とする。
【課題を解決するための手段】
【００１１】
上記課題を解決するために、本発明の液晶表示装置は、画素電極と共通電極を有するＴＦＴ基板と、カラーフィルタを有するカラーフィルタ基板とを、柱状スペーサを介在させて対向し、両基板間に液晶層を設けた横電界方式の液晶表示装置において、前記基板上に形成される液晶配向膜が光配向膜からなり、前記カラーフィルタ基板またはＴＦＴ基板の一方に形成される柱状スペーサが、液晶の初期配向方向に平行または垂直な傾斜面を有する壁状であることを特徴とするものである。
【００１２】
本発明の液晶表示装置において、前記柱状スペーサが、頂上部の形状が略四角形からなる四角柱状のスペーサからなり、その４つの端辺がそれぞれ液晶の初期配向方向にほぼ平行または垂直であることが好ましい。
【発明の効果】
【００１３】
本発明によれば、柱状スペーサ周辺での光漏れを防止し、高精細で高コントラストかつ高開口率の液晶表示装置を提供することができる。
【図面の簡単な説明】
【００１４】
【図１】本発明の実施例１の液晶表示装置の柱状スペーサ付近の構造を示す図である。
【図２】従来の液晶表示装置の課題を示す図である。
【図３】本発明の実施例２の液晶表示装置の柱状スペーサ付近の構造を示す図である。
【図４】本発明の実施例３の液晶表示装置の柱状スペーサ付近の構造を示す図である。
【図５】本発明の実施例４の液晶表示装置の柱状スペーサ付近の構造を示す図である。
【図６】本発明の実施例５の液晶表示装置の柱状スペーサ付近の構造を示す図である。
【図７】本発明の実施例６の液晶表示装置の柱状スペーサ付近の構造を示す図である。
【図８】比較例の液晶表示装置の柱状スペーサ付近の構造を示す図である。
【図９】液晶表示装置の概略構成を示す図である。
【図１０】横電界方式の液晶表示パネルの概略構成を示す図である。
【発明を実施するための形態】
【００１５】
本発明の実施の形態を説明する前に、従来の液晶表示装置について説明する。
【００１６】
図９は、特許文献１に記載された液晶表示装置の概略構成の一例を示す図である。液晶表示装置は、液晶表示パネル１０１、第１の駆動回路１０２、第２の駆動回路１０３、制御回路１０４、およびバックライト１０５を有する。液晶表示パネル１０１は、複数本の走査信号線ＧＬ（ゲート線）および複数本の映像信号線ＤＬ（ドレイン線）を有し、映像信号線ＤＬは第１の駆動回路１０２に接続しており、走査信号線ＧＬは第２の駆動回路１０３に接続している。液晶表示パネル１０１の表示領域ＤＡは、多数の画素の集合で構成されており、表示領域ＤＡにおいて１つの画素が占有する領域は、たとえば、隣接する２本の走査信号線ＧＬと隣接する２本の映像信号線ＤＬとで囲まれる領域に相当する。
【００１７】
液晶表示パネル１０１は、ＴＦＴ基板と対向基板（カラーフィルタ基板）の表面に配向膜を形成し、それら配向膜の間に液晶層ＬＣ（液晶材料）を配置した構造になっている。また、液晶層ＬＣが密封された空間に、それぞれの画素における液晶層ＬＣの厚さ（セルギャップ）を均一化するための柱状スペーサが複数設けられている。この複数の柱状スペーサは、たとえば、カラーフィルタ基板に設けられている。
【００１８】
図１０に、横電界方式の液晶表示パネルの概略構成の一例を示す。ＴＦＴ基板２００は、ガラス基板２０１などの絶縁基板の表面に、共通電極ＣＴ、走査信号線ＧＬ、および共通化配線ＣＬと、それらを覆う第１の絶縁層２０２が形成されている。第１の絶縁層２０２の上には、図示していないが、ＴＦＴ素子の半導体層、映像信号線ＤＬ、およびソース電極２０７と、それらを覆う第２の絶縁層２０４が形成されている。このとき、映像信号線ＤＬの一部分およびソース電極２０７の一部分は、それぞれ、半導体層に乗り上げており、当該半導体層に乗り上げた部分がＴＦＴ素子のドレイン電極およびソース電極として機能する。第２の絶縁層２０４の上に画素電極ＰＸと、画素電極ＰＸを覆う配向膜２０６が形成されている。画素電極ＰＸは、第２の絶縁層２０４を貫通するコンタクトホールを介してソース電極２０７と接続している。このとき、ガラス基板２０１の表面に形成された共通電極ＣＴは、隣接する２本の走査信号線ＧＬと隣接する２本の映像信号線ＤＬで囲まれた領域（開口領域）に平板状に形成されており、当該平板状の共通電極ＣＴの上に、複数のスリットを有する画素電極ＰＸが積層されている。またこのとき、走査信号線ＧＬの延在方向に並んだ画素の共通電極ＣＴは、共通化配線ＣＬによって共通化されている。
【００１９】
一方、カラーフィルタ基板３００は、ガラス基板３０１などの絶縁基板の表面に、ブラックマトリクス３０２およびカラーフィルタ３０３と、それらを覆うオーバーコート層３０４が形成されている。ブラックマトリクス３０２は、たとえば、表示領域ＤＡに画素単位の開口領域を設けるための格子状の遮光膜である。オーバーコート層３０４の上には、複数の柱状スペーサ３０６および配向膜３０５が形成されている。柱状スペーサ３０６は、たとえば、頂上部が平坦な円錐台形であり、ＴＦＴ基板２００の走査信号線ＧＬのうちの、ＴＦＴ素子が配置されている部分および映像信号線ＤＬと交差している部分を除く部分と重なる位置に接地するように形成されている。また、配向膜３０５は、たとえば、ポリイミド系樹脂で形成されており、液晶配向能を付与するための処理が施されている。なお、図において、２０９，３０９は、偏光板である。
【００２０】
このような液晶表示装置において、従来、円柱状などの柱状スペーサが用いられていた。そして、配向膜３０５として光配向膜を用い、光配向処理を行うと、柱状スペーサ３０６の周辺で光漏れが発生し、コントラストが低下してしまう。ブラックマトリクス３０２の領域を広げて光漏れ領域を遮光することによりコントラストを保持することができるが、その分、開口率が低下するという問題がある。
【００２１】
また、図１０には記載していないが、画素電極ＰＸと共通電極ＣＴおよびそれらの層間絶縁膜２０４をそれらの下層に有機絶縁膜を設けることで最上層に配置し、スルーホールを介してＴＦＴ素子と電気的に接続する構成においても同様の問題がある。
【００２２】
以下に、図面に基づいて本発明の実施の形態を説明する。なお、実施の形態を説明するための全図において、同一の機能を有する要素には同一の名称、符号を付して、その繰り返しの説明を省略する。
【実施例１】
【００２３】
図１は本発明の実施例１の液晶表示装置の構造を説明する図であり、（ａ）は１つの画素の平面図、（ｂ）はカラーフィルタ基板に設けた柱状スペーサＳＯＣ付近の平面図、（ｃ）は（ｂ）の点線Ａ−Ｂで示される、柱状スペーサ付近の断面図である。
【００２４】
図１の（ａ）において、横方向に平行して伸びる走査信号線ＧＬと縦方向に平行して伸びる映像信号線ＤＬにより、各画素が形成されている。そして、各画素は共通電極ＣＴと画素電極ＰＸを備えており、画素電極と信号線とがＴＦＴ素子を介して接続されている。図１の（ｂ）は、（ａ）の画素に対向する、カラーフィルタ基板の対応領域の柱状スペーサ付近の拡大図を示しており、横ブラックマトリクス５０および縦ブラックマトリクス６０が配置されるとともに、横ブラックマトリクス５０と縦ブラックマトリクス６０が交差する位置に柱状スペーサ３０が配置されている。例えばＩＰＳ方式の液晶表示装置では、液晶分子を均一に回転させるために、矢印２０で示すように、電極の伸びる方向（縦ブラックマトリクス６０の方向）に対して液晶分子１０を一定以上のバイアス角度をもって初期配向させる必要がある。そのため、光照射の偏光方向も電極に垂直の方向（横ブラックマトリクスの方向）に対して一定の角度だけ傾けている。
【００２５】
本実施例では、傾斜面を有する柱状スペーサ３０が、その一部に直線状の壁を備え、この直線状の壁が液晶の初期配向方向２０と平行となるように柱状スペーサ３０を配置する、すなわち、柱状スペーサ３０が液晶の初期配向方向２０に平行な傾斜面を有する壁状としたものである。なお、柱状スペーサは、液晶の初期配向方向２０に垂直な傾斜面を有する壁状でもよい。ここで、柱状スペーサ３０の壁面の傾斜角度は、４５度以上９０度未満、好ましくは６０〜８０度である。この構成により、図１の（ｃ）に示すように、柱状スペーサ３０の傾斜面に対して、ＵＶ偏光がほぼ完全なｐ偏光またはｓ偏光となるため、反射光の偏光軸が変化せず、配向膜４０の柱状スペーサ周辺の画素領域が良好な配向方向を保持し、光漏れを低減することができる。
【００２６】
本実施例によれば、ほぼ直線偏光した光照射による光配向膜の光配向処理で、柱状スペーサ傾斜部およびその周辺の液晶配向方向が柱状スペーサ傾斜部にほぼ平行または垂直に形成され、液晶の初期配向方向と同じ方向に制御されるため、初期配向ずれによる光漏れを大幅に抑制することができる。
【００２７】
そして、液晶表示装置の高精細化に伴って、遮光ブラックマトリクス幅が狭くなるとともに柱状スペーサ径も小さく且つ柱状スペーサの傾斜角度が急峻になっても、光配向処理により柱状スペーサ周辺の良好な配向処理を行うことができる。
【実施例２】
【００２８】
図３は本発明の実施例２の液晶表示装置の構造を説明する図であり、（ａ）は１つの画素の平面図、（ｂ）はカラーフィルタ基板の柱状スペーサに対応する領域の拡大図、（ｃ）は柱状スペーサ付近の断面図である。この実施例は、縦ブラックマトリクスと横ブラックマトリクスの交差点の直下に、或いは、横ブラックマトリクスの直下に柱状スペーサが形成されているものである。
【００２９】
図３の（ａ）において、横方向に平行して伸びる走査信号線ＧＬと縦方向に平行して伸びる映像信号線ＤＬにより、各画素が形成されている。そして、各画素は共通電極ＣＴと画素電極ＰＸを備えており、画素電極と信号線とがＴＦＴ素子を介して接続されている。図３の（ｂ）は、（ａ）の画素に対向する、カラーフィルタ基板の対応領域の柱状スペーサ付近の拡大図を示している。映像信号線ＤＬに対応して縦ブラックマトリクス６０が、また、走査信号線ＧＬに対応して横ブラックマトリクス５０が配置されている。液晶の配向方向２０は、縦ブラックマトリクス６０、すなわち画素電極ＰＸの伸びる方向に対して、約５〜１５度のバイアス角度φに設定されている。縦ブラックマトリクス６０と横ブラックマトリクス５０の交差点の直下には、メインスペーサ３１（高さｈ）が形成されるとともに、横ブラックマトリクス５０の直下にはサブスペーサ３２（高さｈ’＜ｈ）が形成されている。ここで、サブスペーサ３２は、例えばタッチパネルの押しに対応するものである。図３の（ｃ）に、カラーフィルタ基板のメインスペーサ３１付近の断面図を示す。例えばガラス基板（図示せず）上にブラックマトリクス６０とカラーフィルタ層８０が形成され、その上に透明絶縁層８５が形成される。透明絶縁層８５上には、側面に傾斜面を有する柱状スペーサ３１が配置される。柱状スペーサの側面の傾斜角θは４５度以上９０度未満、好ましくは６０〜８０度である。透明絶縁層８５上から柱状スペーサ３１の側面にかけて、光配向膜材料が塗布され、偏光ＵＶを照射することにより光配向膜４０が形成される。なお、図３の（ｂ）において、サブスペーサ３２が横ブラックマトリクス５０の直下に形成されているが、縦ブラックマトリクス６０の直下に形成しても良い。
【００３０】
本実施例では、メインスペーサ３１およびサブスペーサ３２である柱状スペーサが、頂上部の形状がほぼ四角形からなる四角柱状のスペーサからなり、その４つの端辺がそれぞれ液晶の初期配向方向２０にほぼ平行または垂直であることを特徴としている。
【００３１】
本実施例によれば、次の作用効果が期待される。ＩＰＳ方式などにおいて、高精細化することによって、配線電極や画素電極からなる表面凹凸も一層増加するが、光配向法を適用することで段差部の配向不良の発生を防止し、高コントラスト化が実現可能となる。また、低消費電力化のための高開口率化を図るために遮光ブラックマトリクス幅を細くし、その上にアスペクト比の高い四角柱状のスペーサを形成し、かつ、その側面が液晶配向方向と平行または直交するような構成とすることで、光配向処理のための偏光照射による反射光に起因した柱状スペーサ周辺の光漏れの発生を防止することが可能となる。これにより、高精細で、高開口率の確保と高コントラスト比の両立が可能となる。
【実施例３】
【００３２】
図４は本発明の実施例３の液晶表示装置の構造を説明する図であり、（ａ）は、図３の（ａ）と同様の、１つの画素の平面図、（ｂ）はカラーフィルタ基板の柱状スペーサに対応する領域の拡大図である。この実施例は、縦ブラックマトリクス６０の直下に柱状スペーサ３０が形成され、かつネガ型の液晶を用いたものである。
【００３３】
図４の（ｂ）に示すように、液晶の初期配向方向２０は、縦ブラックマトリクス６０の伸びる方向、すなわち画素電極ＰＸの伸びる方向に対して約７５〜８５度のバイアス角度φに設定されている。
【００３４】
本実施例では、傾斜面を有する柱状スペーサ３０が、その一部に直線状の壁を備え、この直線状の壁が液晶の初期配向方向２０と垂直となるように柱状スペーサ３０を配置する、すなわち、柱状スペーサ３０が液晶の初期配向方向２０に垂直な傾斜面を有する壁状としたものである。この構成においてネガ型の液晶を用いることより、柱状スペーサ３０の傾斜面に対して、ＵＶ偏光がほぼ完全なｐ偏光またはｓ偏光となるため、反射光の偏光軸が変化せず、配向膜の柱状スペーサ周辺の画素領域が良好な配向方向を保持し、光漏れを低減することができる。
【００３５】
本実施例においても、ほぼ直線偏光した光照射による光配向膜の光配向処理で、初期配向ずれによる光漏れを大幅に抑制することができる。
【実施例４】
【００３６】
図５は本発明の実施例４の液晶表示装置の構造を説明する図であり、（ａ）は、１つの画素の平面図、（ｂ）はカラーフィルタ基板の柱状スペーサに対応する領域の拡大図である。この実施例は、画素内分割による視野角補償を行う液晶表示装置に適用したものである。
【００３７】
図５の（ａ）に示すように、１つ画素は、上半分と下半分の２つの領域に分割され、液晶の初期配向方向２０である横方向に対して、画素電極ＰＸのスリットを互いに反対方向に傾斜させている。この液晶表示装置によれば、画素領域を分割することにより視野角補償を行うことができる。
【００３８】
図５の（ｂ）に示すように、液晶の初期配向方向２０は、横方向、つまり横ブラックマトリクス５０の伸びる方向に設定されている。そして、縦ブラックマトリクス６０と横ブラックマトリクス５０の交差点に柱状スペーサ３０を配置し、傾斜面を有する柱状スペーサ３０が、その一部に直線状の壁を備え、この直線状の壁が液晶の初期配向方向２０と平行となるように、つまり横方向に柱状スペーサ３０を配置する。この構成においても、柱状スペーサ３０の傾斜面に対して、ＵＶ偏光がほぼ完全なｐ偏光またはｓ偏光となるため、反射光の偏光軸が変化せず、配向膜の柱状スペーサ周辺の画素領域が良好な配向方向を保持し、光漏れを低減することができる。
【００３９】
さらに、柱状スペーサ３０の４隅のＲ部分が、ほぼ直交する縦ブラックマトリクス６０と横ブラックマトリクス５０の重なり領域９０に配置されている。この構成により、４隅のＲ部分で発生する配向方向の異なる配向異常の領域が、ブラックマトリクス遮光領域内に限定される。これにより、表示画素領域に光漏れが発生することがなく、高コントラスト化が可能となる。
【実施例５】
【００４０】
図６は本発明の実施例５の液晶表示装置の構造を説明する図であり、（ａ）は、上下に隣接する２つの画素の平面図、（ｂ）はカラーフィルタ基板の柱状スペーサに対応する領域の拡大図である。この実施例は、隣接する上下２つの画素で視野角補償を行う液晶表示装置に適用したものである。
【００４１】
図６の（ａ）に示すように、隣接する上下の２つの画素は、液晶の初期配向方向２０である縦方向に対して、画素電極ＰＸを互いに反対方向に傾斜させている。この液晶表示装置によれば、隣接する２つの画素で画素電極の方向を反対方向とすることにより視野角補償を行うことができる。
【００４２】
図６の（ｂ）に示すように、液晶の初期配向方向２０は、縦方向に設定し、縦ブラックマトリクス６０の方向、すなわち画素電極ＰＸの伸びる方向とは傾斜させている。そして、縦ブラックマトリクス６０と横ブラックマトリクス５０の交差点に四角柱状の柱状スペーサ３０を配置し、その４つの端辺がそれぞれ液晶の初期配向方向２０にほぼ平行または垂直であるように構成する。
【００４３】
本実施例によれば、ほぼ直線偏光した光照射による光配向膜の光配向処理において、柱状スペーサの４つの端辺がそれぞれ液晶の初期配向方向にほぼ平行または垂直であるため、初期配向ずれによる光漏れを大幅に抑制することができる。
【００４４】
さらに、四角柱状の柱状スペーサ３０の４隅のＲ部分（曲面部分）が、ほぼ直交する縦ブラックマトリクス６０と横ブラックマトリクス５０の重なり領域９０に配置されている。この構成により、４隅のＲ部分で発生する配向方向の異なる配向異常の領域が、ブラックマトリクス遮光領域内に限定される。これにより、表示画素領域に光漏れが発生することがなく、高コントラスト化が可能となる。
【実施例６】
【００４５】
図７は本発明の実施例６の液晶表示装置の構造を説明する図であり、（ａ）は、上下に隣接する２つの画素の平面図、（ｂ）はカラーフィルタ基板の柱状スペーサに対応する領域の拡大図である。この実施例６は、隣接する上下２画素で視野角補償を行う液晶表示装置に適用したものである。
【００４６】
図７の（ａ）に示すように、この実施例も図６の（ａ）と同様に、隣接する上下の２つの画素を、液晶の初期配向方向２０である縦方向に対して、画素電極ＰＸを互いに反対方向に傾斜させている。そして、隣接する２つの画素で画素電極を反対方向とすることにより視野角補償を行うことができる。
【００４７】
図７の（ｂ）に示すように、液晶の初期配向方向２０は、縦方向に設定し、縦ブラックマトリクス６０の伸びる方向、すなわち画素電極ＰＸの伸びる方向とは傾斜させている。そして、縦ブラックマトリクス６０と横ブラックマトリクス５０の１つの交差点からそれに隣接する交差点かけて、頂上部の形状が長方形である四角柱状の柱状スペーサ３０を配置し、その４つの端辺がそれぞれ液晶の初期配向方向２０にほぼ平行または垂直であるように構成する。
【００４８】
本実施例によれば、ほぼ直線偏光した光照射による光配向膜の光配向処理において、柱状スペーサの４つの端辺がそれぞれ液晶の初期配向方向にほぼ平行または垂直であるため、初期配向ずれによる光漏れを大幅に抑制することができる。
【００４９】
さらに、四角柱状の柱状スペーサ３０の４隅のＲ部分（曲面部分）が、ほぼ直交する縦ブラックマトリクス６０と横ブラックマトリクス５０の１つの重なり領域９０とそれに隣接する重なり領域９０に配置されている。この構成により、４隅のＲ部分で発生する配向方向の異なる配向異常の領域が、ブラックマトリクス遮光領域内に限定される。これにより、表示画素領域に光漏れが発生することがなく、高コントラスト化が可能となる。
【比較例】
【００５０】
図８は比較例の液晶表示装置の構造を説明する図であり、（ａ）はカラーフィルタ基板の柱状スペーサに対応する領域の拡大図、（ｂ）は柱状スペーサとＵＶ偏光軸の関係を示す斜視図、（ｃ）は柱状スペーサ付近の液晶分子の状態を示す図である。
【００５１】
図８の（ａ）に示すように、四角柱状の柱状スペーサ３０は、直交する縦ブラックマトリクス６０と横ブラックマトリクス５０の交差部に、その４つの端辺が縦ブラックマトリクス６０および横ブラックマトリクス５０と平行するように配置されている。そして、液晶の初期配向軸２０は縦ブラックマトリクス６０に対してバイアス角度だけ傾斜しているので、（ａ）および（ｂ）に示すように、ＵＶ偏光軸、すなわち光の照射方向は四角柱状の柱状スペーサの４つの端辺と平行または垂直となっていない。したがって、（ｃ）に示すように、柱状スペーサ３０の周辺において液晶分子１０の配向乱れを生じ、光漏れ領域７０で光漏れが発生してしまう。
【符号の説明】
【００５２】
１０  液晶分子
２０  液晶の初期配向方向
３０  柱状スペーサ
３１  メインスペーサ
３２  サブスペーサ
４０  配向膜
５０  横ブラックマトリクス
６０  縦ブラックマトリクス
７０  光漏れ領域
８０  カラーフィルタ
８５  透明絶縁膜
９０  重なり領域
【図１】
2014206637.tif 000003
【図２】
2014206637.tif 000004
【図３】
2014206637.tif 000005
【図４】
2014206637.tif 000006
【図５】
2014206637.tif 000007
【図６】
2014206637.tif 000008
【図７】
2014206637.tif 000009
【図８】
2014206637.tif 000010
【図９】
2014206637.tif 000011
【図１０】
2014206637.tif 000012